(57)【要約】【課題】マグネットスイッチに設けられた押し釦の操作を不能にするためのカバーを設けた冷凍機用マグネットスイッチを提供する。【解決手段】マグネットスイッチＭｇＳＷはコイル２０に励磁されることで接点２６を開閉して冷凍機１のコンプレッサ２の通電を制御する。マグネットスイッチＭｇＳＷにはマグネットスイッチＭｇＳＷの接点２６を開閉操作可能な押し釦２３が設けられる。押し釦２３を覆って操作不能となるようなカバー３５を設ける。カバー３５をマグネットスイッチＭｇＳＷに着脱可能に取り付ける。【選択図】      図３
2004286291.tif 000002
【特許請求の範囲】
【請求項１】
コイル及び当該コイルに励磁されたことで開閉する接点とを備え、冷凍機のコンプレッサの通電を制御するためのマグネットスイッチにおいて、
前記接点を開閉操作可能な押し釦と、該押し釦を操作不能となるよう覆うカバーとを備えたことを特徴とする冷凍機用マグネットスイッチ。
【請求項２】
前記カバーを着脱可能に設けたことを特徴とする請求項１の冷凍機用マグネットスイッチ。
【発明の詳細な説明】
【０００１】
【発明の属する技術分野】
本発明は、コイルに励磁されたことで開閉する接点とを備え、冷凍機のコンプレッサの通電を制御するための冷凍機用マグネットスイッチに関するものである。
【０００２】
【従来の技術】
従来より冷凍、冷蔵ショーケースなどの庫内を冷却するため冷凍機が設けられている（特許文献１参照）。該冷凍機はコンプレッサに設けられた三相交流商用電源で駆動される駆動モータが運転されると、コンプレッサから高温高圧のガス冷媒が吐出され、吐出された高温高圧のガス冷媒は凝縮器に流入する。
【０００３】
そして、凝縮器に流入した冷媒はそこで放熱して凝縮液化された後膨張弁に至り、そこで絞られた後蒸発器に流入する。蒸発器に流入した液冷媒はそこで蒸発気化し、そのときに周囲から熱を吸収することにより冷却作用を発揮して商品陳列室内を冷却する。そして、蒸発器を出た冷媒はコンプレッサに吸い込まれる冷凍サイクルを繰り返す。
【０００４】
このような冷凍機の設置時、或いは、メンテナンス時や修理時などに駆動モータへの配線接続順序に間違い（逆相）が発生してしまう場合がある。駆動モータの配線が逆相の状態で冷凍機が運転されると冷凍機に不具合や故障が発生してしまうため、制御装置で逆相を検出しマグネットスイッチをＯＦＦにして駆動モータの運転を停止し冷凍機を保護していた。
【０００５】
該マグネットスイッチには押し釦が設けられており、この押し釦は、マグネットスイッチ内部の接点の開閉に連動して、その接点を開閉させる目的で連結できるように設けられている。この押し釦は突出し露出して設けられマグネットスイッチ内部の接点に連動して出没するように構成されているので、露出した押し釦を押せば故意に内部の接点を閉じマグネットスイッチをＯＮさせることができる構造とされている。
【０００６】
ところで、冷凍機の制御装置には情報を記録できるメモリが設けられている。このメモリには、コンプレッサの異常高温の記録や放熱器や凝縮器の目詰まりによる高低圧異常の記録などの情報を記録していた。そして、冷凍機が故障した際は、メモリに記録された情報を読み出して解析し、故障時の修理に活用していた。
【０００７】
【特許文献１】
特開２００１−９９４６６号公報。
【０００８】
【発明が解決しようとする課題】
しかしながら、冷凍機を取り扱うユーザーによっては、冷凍機の設置時、或いは、メンテナンス時や修理時などに、マグネットスイッチに露出して設けられた押し釦が操作されて直接駆動モータが運転されてしまう場合がある。このため、駆動モータが逆相で運転されて冷凍機の不具合や故障が発生してしまう問題があった。
【０００９】
本発明は、係る従来技術の課題を解決するために成されたものであり、マグネットスイッチに設けられた押し釦の操作を不能にするためのカバーを設けた冷凍機用マグネットスイッチを提供することを目的とする。
【００１０】
【課題を解決するための手段】
即ち、本発明では、コイル及び当該コイルに励磁されたことで開閉する接点とを備え、冷凍機のコンプレッサの通電を制御するためのマグネットスイッチにおいて、接点を開閉操作可能な押し釦と、この押し釦を操作不能となるよう覆うカバーとを備えたので、例えば、コンプレッサを駆動する駆動モータへの配線が逆相状態などで押し釦を押そうとしてもカバーで邪魔して押し釦の操作を阻止することができる。これにより、駆動モータの逆相配線によって冷凍機の不具合や故障などの不都合を未然に回避することが可能となる。従って、冷凍機の設置時、或いは、メンテナンス時や修理時など不特定の場所で頻繁に三相交流商用電源の接続及び切り離し作業を行う場合に於いて極めて有利となるものである。
【００１１】
請求項２の発明では上記に於いて、カバーを着脱可能に設けたので、例えば、駆動モータに予め決められた順序で三相交流商用電源が配線接続されている場合には、カバーを外して押し釦を押せば、冷凍機の不具合や故障などの不都合を心配することなく押し釦を押してマグネットスイッチをＯＮさせることができる。これにより、マグネットスイッチが不注意でＯＮされることなく、必要なときにマグネットスイッチをＯＮさせることができる。従って、冷凍機用マグネットスイッチの利便性を大幅に向上させることができるようになるものである。
【００１２】
【発明の実施の形態】
次に、図面に基づき本発明の実施形態を詳述する。図１は本発明のマグネットスイッチＭｇＳＷを備えた冷凍機１の冷媒回路図、図２は本発明の冷凍機用マグネットスイッチＭｇＳＷに漏電遮断器１６を接続した状態の電気回路図、図３は本発明の冷凍機用マグネットスイッチＭｇＳＷの斜視図、図４は本発明の冷凍機用マグネットスイッチＭｇＳＷに設けたカバー３５の斜視図をそれぞれ示している。図中１は冷凍機１で、この冷凍機１は、例えば冷凍、冷蔵ショーケース等の庫内を冷却するために用いられるもので、冷凍機１に設けられたコンプレッサ２の吐出側の配管２Ａは凝縮器３に接続されている。
【００１３】
凝縮器３の出口側の配管３Ａは、凝縮器３に接続され凝縮器３は図示しない受液器を介して減圧装置としての膨張弁４に接続されている。膨張弁４は蒸発器５に接続され、蒸発器５の出口側は未蒸発液冷媒の気液分離を行うこれもまた図示しないアキュムレータを介してコンプレッサ２の吸込側の配管２Ｂに接続されて環状の冷媒回路を構成している。
【００１４】
前記凝縮器３と膨張弁４の間の配管３Ａには、リキッドインジェクション回路８が設けられている。このリキッドインジェクション回路８は、配管３Ａから電磁弁６、及び、キャピラリチューブ７を介してコンプレッサ２に接続されている。
【００１５】
また、コンプレッサ２の出口側の配管２Ａには高圧センサ１１が接続され、コンプレッサ２の入り口側の配管２Ｂには低圧センサ１２が接続されている。更に、コンプレッサ２の出口側の配管２Ａと入り口側の配管２Ｂの間にはバイパス配管１３Ａが接続され、バイパス配管１３Ａの途中にはバイパス電磁弁１３が接続されている。
【００１６】
これら高圧センサ１１と低圧センサ１２及びバイパス電磁弁１３は、冷凍機１の運転制御を行うコントローラ２８に接続されている。このコントローラ２８は、汎用マイクロコンピュータなどで構成されており、この汎用マイクロコンピュータには冷凍機１の運転制御を行うプログラムを備えている。また、コントローラ２８にはメモリ２９が設けられており、このメモリ２９は、コンプレッサ２の高温異常、蒸発器５や凝縮器３の目詰まり、コンプレッサ２の液圧縮、駆動モータ１５への配線接続順序違い（逆相）などの故障情報履歴、及び、後述する操作情報などを書き込んで記録すると共に、読み出し可能に構成されている。
【００１７】
即ち、メモリ２９は、半導体メモリにて構成されており、冷凍機１に施された運転操作などの処置に関する処置情報、或いは、冷凍機１に発生した異常情報などを読み書き可能に構成されている。尚、コントローラ２８には図示しない表示装置、或いは、出力装置が設けられており、メモリ２９に書き込まれ記録された情報は表示装置に表示可能に構成されると共に、出力装置から出力される情報はパソコンなどの表示装置に表示可能に構成されている。
【００１８】
そして、配管２Ａ内と配管２Ｂ内の圧力を高圧センサ１１及び低圧センサ１２が検知し、コントローラ２８はその高圧センサ１１及び低圧センサ１２が検知した情報から両配管２Ａ、２Ｂの圧力差の異常を検出すると、バイパス電磁弁１３の開度を調整すると共に警報装置（図示せず）を動作させてコンプレッサ２を停止して保護すると共に、その故障情報をメモリ２９に書き込んで記録する。
【００１９】
また、コンプレッサ２の出口側の配管２Ａには温度センサ１０が設けられており、この温度センサ１０もコントローラ２８に接続されている。そして、コントローラ２８は、コンプレッサ２の出口側の配管２Ａに取り付けられた温度センサ１０が検知した温度によって電磁弁６の開度を調整する。
【００２０】
即ち、コントローラ２８は、コンプレッサ２の吐出側の配管２Ａの温度が、予め設定された温度より高い場合、電磁弁６を開いて凝縮器３から出た冷媒をリキッドインジェクション回路８に流入させる。リキッドインジェクション回路８に流入した冷媒はキャピラリチューブ７で絞られてコンプレッサ２に流入し吸熱作用を発揮する。これによりコントローラ２８は、コンプレッサ２が加熱してしまうのを防止すると共に、その異常情報をメモリ２９に書き込んで記録する。
【００２１】
前記、冷凍機１にはコンプレッサ２を駆動するための駆動モータ１５が設けられている。この駆動モータ１５は、電源スイッチ（マグネットスイッチ）ＭｇＳＷ及び漏電遮断器１６を介して三相交流商用電源ＡＣに接続されている（図２）。即ち、冷凍機１には三相交流商用電源ＡＣから漏電遮断器１６、マグネットスイッチＭｇＳＷを介して駆動モータ１５に給電される給電経路が設けられており、給電経路に設けられた漏電遮断器１６には漏電検知センサ１７が設けられ、この漏電検知センサ１７は前記コントローラ２８に接続されている。尚、２６は三相交流商用電源ＡＣからマグネットスイッチＭｇＳＷへの通電／遮断を行うための固定片２６Ａと可動片２６Ｂとからなる接点である。
【００２２】
マグネットスイッチＭｇＳＷには接点をＯＮ／ＯＦＦさせるためのコイル２０が設けられており、コイル２０の一側はコントローラ２８に接続され、他側はスイッチＳＷ１を介してコントローラ２８に接続されている。そして、コントローラ２８によってスイッチＳＷ１が閉じられコイル２０に所定の電圧が通電されると、コイル２０は励磁され、これによって接点２５が閉じ、マグネットスイッチＭｇＳＷはＯＮになる。コイル２０は通電が閉ざされると励磁は遮断されるので接点２５は開放されマグネットスイッチＭｇＳＷはＯＦＦになる。即ち、コントローラ２８は、コイル２０への通電を制御してマグネットスイッチＭｇＳＷ（接点２５）をＯＮ／ＯＦＦする。
【００２３】
また、マグネットスイッチＭｇＳＷには所定寸法突出して押し釦２３が設けられており、この押し釦２３はスイッチＳＷ１と連動している。そして、押し釦２３が押されるとスイッチＳＷ１が閉じてマグネットスイッチＭｇＳＷのコイル２０に所定の電圧が印加される。即ち、押し釦２３はマグネットスイッチＭｇＳＷを強制的にＯＮすることができる。この押し釦２３は、冷凍機１を単独で運転試験することができる。
【００２４】
押し釦２３の上下には保護支柱２３Ａが設けられており、これらの保護支柱２３Ａは押し釦２３の上方左右に２カ所、下方に１カ所設けられている（図３）。各保護支柱２３Ａは、押し釦２３より所定寸法突出しており、この突出した保護支柱２３Ａによって、カバー３５の本体３６がマグネットスイッチＭｇＳＷ側に移動するのを阻止して、マグネットスイッチＭｇＳＷに何か触れた場合でも押し釦２３が押されないように構成されている。尚、２４は配線を接続するためのターミナル２４である。
【００２５】
そして、係る押し釦２３はマグネットスイッチＭｇＳＷを強制的にＯＮすることができることから、冷凍機１の設置後、或いは、メンテナンス後や修理後などに押し釦２３を押しマグネットスイッチＭｇＳＷをＯＮさせて冷凍機１の動作試験を行うことができる。また、コントローラ２８でマグネットスイッチＭｇＳＷがＯＦＦ制御の状態であっても、押し釦２３が押された際マグネットスイッチＭｇＳＷはＯＮする。この場合、コントローラ２８にて制御されマグネットスイッチＭｇＳＷがＯＦＦしている状態のときに、押し釦２３を押しマグネットスイッチＭｇＳＷを強制的にＯＮさせる操作も含む。
【００２６】
また、マグネットスイッチＭｇＳＷにはソケット３０、３２が設けられており、このソケット３０にはマグネットスイッチＭｇＳＷのターミナル２４と導通するターミナル３１、３３が複数設けられている。そして、これらのターミナル３１、３３に前記電圧検知センサ１９や後述する逆相検知センサ２１が配線接続される。該コントローラ２８は、コントローラ２８にてマグネットスイッチＭｇＳＷがＯＦＦ制御状態で、押し釦２３が押され、後述する電流検知センサ１８が電流を検知し電圧検知センサ１９が電圧を検知した情報をメモリ２９に書き込んで記録する。
【００２７】
また、マグネットスイッチＭｇＳＷにはカバー３５が取り付けられている。このカバー３５は、押し釦２３を覆う一方を開口した箱体にて構成された本体３６と、この本体３６の両側面に設けられた係合アーム３７とから構成されている。該本体３６は、押し釦２３と前記保護支柱２３Ａとを開口側から本体３６内に収納した状態で、押し釦２３と保護支柱２３Ａの全体を覆える大きさに構成されている。
【００２８】
カバー３５は、マグネットスイッチＭｇＳＷの両側面と略同等の幅に形成され、係合アーム３７はマグネットスイッチＭｇＳＷの両側面に略接しながらマグネットスイッチＭｇＳＷの裏面側（押し釦２３の反対側）に所定寸法延在している。係合アーム３７の先端にはロック爪３７Ａが設けられており、このロック爪３７Ａは相互に近接する方向に突出している。該ロック爪３７Ａは、ソケット３０側面に設けられた係合穴（図示せず）にロック、解除可能に構成されている。尚、ロック爪３７Ａがソケット３０側面に設けられた係合穴にロックされた状態で、本体３６の底面は各保護支柱２３Ａの先端面に当接する。これにより押し釦２３は、各保護支柱２３Ａの先端面に当接した本体３６に阻止されるので押すことができなくなる。
【００２９】
そして、マグネットスイッチＭｇＳＷの押し釦２３側から押し釦２３を本体３６内に収納するようにカバー３５をマグネットスイッチＭｇＳＷ側に移動させる。このとき、カバー３５の本体３６底面が各保護支柱２３Ａの先端に当接するまでカバー３５をマグネットスイッチＭｇＳＷ側に移動させる。これにより、ソケット３０側面に設けられた係合穴にロック爪３７Ａがロックされて、押し釦２３はカバー３５で覆われる。即ち、カバー３５で押し釦２３が覆われることにより、押し釦２３は操作できないように構成されると共に、カバー３５は、ロック爪３７ＡをマグネットスイッチＭｇＳＷの係合穴にロック、解除可能に構成されている。
【００３０】
一方、マグネットスイッチＭｇＳＷの前記漏電遮断器１６側の接点２５には逆相検知センサ２１が接続されている（図５）。この逆相検知センサ２１は、駆動モータ１５のＲ相、Ｓ相、Ｔ相の各相に印加される位相の順序を検知し、コントローラ２８は、予め設定された位相の順序で駆動モータ１５の各相に正相が印加されるか否かを検出し、予め設定された位相の順序でない場合コントローラ２８は逆相検知センサ２１から逆相信号を検知する。尚、図５では逆相検知センサ２１を漏電遮断器１６側に接続しているが、逆相検知センサ２１はマグネットスイッチＭｇＳＷの駆動モータ１５側の方が好ましく、更に、駆動モータ１５のＲ相、Ｓ相、Ｔ相に直接接続した方がマグネットスイッチＭｇＳＷの不具合により交換した場合もマグネットスイッチＭｇＳＷへの配線の逆相もコントローラ２８で検出することができるので更に好ましい。
【００３１】
前記駆動モータ１５に設けられた三相（Ｒ相、Ｓ相、Ｔ相）に所定の順序で三相交流商用電源ＡＣが印加されることにより駆動モータ１５は決められた方向に回転するが、三相の内の一相（例えば、Ｔ相）に線電流を検知する電流検知センサ１８が設けられている。この電流検知センサ１８は、コンプレッサ２の運転によって駆動モータ１５に流れた電流を検知する。
【００３２】
そして、コンプレッサ２の過負荷運転などによって駆動モータ１５に異常電流が流れると、コントローラ２８は電流検知センサ１８から異常電流を検知しマグネットスイッチＭｇＳＷの接点２５を開いてＯＦＦし、駆動モータ１５への通電を遮断しその異常電流のデータをメモリ２９に記録する。また、三相の内の二相（例えば、Ｒ相、Ｔ相）には線電圧を検知する電圧検知センサ１９が設けられている。そして、コントローラ２８は電圧検知センサ１９が線電圧の異常を検知するとマグネットスイッチＭｇＳＷをＯＦＦし、駆動モータ１５への通電を遮断しその異常電圧データをメモリ２９に記録する。
【００３３】
コントローラ２８は、前記冷凍機１の温度異常、圧力異常のデータをメモリ２９に記録する以外に、コントローラ２８の通常制御中（この場合、何らかの不具合が発生しコントローラ２８が冷凍機１の運転を停止している場合）に押し釦２３が強制的に押された情報、及び、漏電検知センサ１７が漏電を検知し、漏電が解消していないのに漏電遮断器１６がＯＮされたなどの操作情報をメモリ２９に記録する。即ち、コントローラ２８は、コンプレッサ２の高温異常、蒸発器５や凝縮器３の目詰まり、コンプレッサ２の液圧縮、駆動モータ１５の配線接続順序違い（逆相）、操作情報などの故障情報履歴をメモリに書き込んで記録する。
【００３４】
次に、冷凍機１の動作を説明する。尚、冷凍機１の冷媒回路内には所定量の冷媒が封入されているものとする。まず、電源スイッチ（図示せず）が入れられるとコントローラ２８はスイッチＳＷ１をＯＮしてコイル２０に電流が流れマグネットスイッチＭｇＳＷの接点２５が閉じる。これにより、三相交流商用電源ＡＣが駆動モータ１５に通電されて冷凍機１が運転される。冷凍機１が運転されるとコンプレッサ２から高温高圧のガス冷媒が吐出側の配管２Ａに吐出される。
【００３５】
コンプレッサ２の吐出側の配管２Ａに吐出された高温高圧のガス冷媒は凝縮器３に流入しそこで放熱して凝縮液化された後、受液器（図示せず）に流入してそこで一旦貯溜される。受液器に貯溜された液冷媒は、気液分離して液冷媒だけが膨張弁４で絞られた後、蒸発器５に流入する。
【００３６】
蒸発器５に流入した液冷媒はそこで蒸発気化し、そのときに周囲から熱を吸収することにより冷却作用を発揮し図示しない冷凍、冷蔵ショーケース等の庫内を冷却する。蒸発器５を出た冷媒はアキュムレータ（図示せず）に入り、そこで未蒸発液冷媒が気液分離された後、ガス冷媒のみが入り口側の配管２Ｂからコンプレッサ２に吸い込まれるサイクルを繰り返す。
【００３７】
一方、冷凍機１の設置時には、三相交流商用電源ＡＣから漏電遮断器１６、マグネットスイッチＭｇＳＷを介して駆動モータ１５へ給電する給電経路は配線接続される。また、冷凍機１の修理或いはメンテナンスなどを行う際は、接続した給電経路の配線は外される場合があり、外された給電経路の配線は修理終了後或いはメンテナンス終了後に再度配線接続される。
【００３８】
そして、冷凍機１が所定の場所に設置された後、或いは、修理終了後或いはメンテナンス終了後に駆動モータ１５に三相交流商用電源ＡＣが通電されて冷凍機１が運転されるが、係る駆動モータ１５に三相交流商用電源ＡＣが逆相で接続されている場合、低圧センサ１２が検出する圧力が高くなる。コントローラ２８は、高圧センサ１１と低圧センサ１２が検出した低圧と高圧の値を検知し、低圧値が高圧値より高い場合スイッチＳＷ１を開いてコイル２０に通電している電圧を遮断し、マグネットスイッチＭｇＳＷをＯＦＦして駆動モータ１５（冷凍機１）の運転を停止する。
【００３９】
冷凍機１の運転が停止した場合に、冷凍機１の設置者、或いは、修理者或いはメンテナンス者は、冷凍機１の運転を実行しようとして、押し釦２３を押そうとするが、マグネットスイッチＭｇＳＷには押し釦２３を覆うカバー３５が取り付けられているので、カバー３５が邪魔して押し釦２３を押すことができない。このカバー３５により、駆動モータ１５に三相交流商用電源ＡＣが逆相で接続されている場合などに駆動モータ１５が運転されることがないので、冷凍機１の不具合や故障などの不都合を未然に回避することができる。
【００４０】
尚、コントローラ２８がマグネットスイッチＭｇＳＷのＯＦＦを通常制御して冷凍機１の運転を停止しているとき、マグネットスイッチＭｇＳＷのカバー３５が外され押し釦２３が押された場合、コントローラ２８はその操作情報をメモリ２９に記録する。即ち、駆動モータ１５に三相交流商用電源ＡＣが逆相で接続され、高圧センサ１１の圧力より低圧センサ１２の圧力の方が高いのをコントローラ２８が検出して駆動モータ１５（冷凍機１）の運転を停止しているときカバー３５が外されて押し釦２３が押され駆動モータ１５に通電された場合、コントローラ２８はその操作情報をメモリ２９に記録する。
【００４１】
これにより、駆動モータ１５の逆相で冷凍機１に故障が発生した際、メモリ２９に記録された情報を表示装置に表示し解析することにより、コントローラ２８がマグネットスイッチＭｇＳＷのＯＦＦを通常制御しているときカバー３５が外され押し釦２３が押されて冷凍機１が運転されたのを把握することができる。これにより、故障の発生原因を的確に把握することができ、故障の処置を適切に行うことができるようになる。
【００４２】
このように、マグネットスイッチＭｇＳＷの接点２５を開閉操作可能な押し釦２３に、当該押し釦２３を覆うカバー３５を設けている。このカバー３５によって押し釦２３を押せなくして、押し釦２３を操作不能にしているので、コントローラ２８がマグネットスイッチＭｇＳＷのＯＦＦを通常制御しているとき押し釦２３を押そうとしてもカバー３５が邪魔して冷凍機１が運転されてしまうのを防止できる。これにより、駆動モータ１５の逆転によって冷凍機１の不具合や故障が発生してしまうなど不都合を未然に回避することができる。
【００４３】
また、押し釦２３を覆うカバー３５をマグネットスイッチＭｇＳＷに着脱可能に設けているので、駆動モータ１５に予め決められた順序で三相交流商用電源ＡＣが配線接続されている場合には、カバー３５を外して押し釦２３を押せば、冷凍機１の不具合や故障などの不都合を心配することなく押し釦２３を押してマグネットスイッチＭｇＳＷをＯＮさせることができる。これにより、マグネットスイッチＭｇＳＷが不注意でＯＮされることなく、必要なときにマグネットスイッチＭｇＳＷをＯＮさせることができる。
【００４４】
【発明の効果】
以上詳述した如く本発明によれば、コイル及び当該コイルに励磁されたことで開閉する接点とを備え、冷凍機のコンプレッサの通電を制御するためのマグネットスイッチにおいて、接点を開閉操作可能な押し釦と、この押し釦を操作不能となるよう覆うカバーとを備えたので、例えば、コンプレッサを駆動する駆動モータへの配線が逆相状態などで押し釦を押そうとしてもカバーで邪魔して押し釦の操作を阻止することができる。これにより、駆動モータの逆相配線によって冷凍機の不具合や故障などの不都合を未然に回避することが可能となる。従って、冷凍機の設置時、或いは、メンテナンス時や修理時など不特定の場所で頻繁に三相交流商用電源の接続及び切り離し作業を行う場合に於いて極めて有利となるものである。
【００４５】
請求項２の発明によれば上記に於いて、カバーを着脱可能に設けたので、例えば、駆動モータに予め決められた順序で三相交流商用電源が配線接続されている場合には、カバーを外して押し釦を押せば、冷凍機の不具合や故障などの不都合を心配することなく押し釦を押してマグネットスイッチをＯＮさせることができる。これにより、マグネットスイッチが不注意でＯＮされることなく、必要なときにマグネットスイッチをＯＮさせることができる。従って、冷凍機用マグネットスイッチの利便性を大幅に向上させることができるようになるものである。
【図面の簡単な説明】
【図１】本発明のマグネットスイッチを備えた冷凍機の冷媒回路図である。
【図２】本発明の冷凍機用マグネットスイッチに漏電遮断器を接続した状態の電気回路図である。
【図３】本発明の冷凍機用マグネットスイッチの斜視図である。
【図４】本発明の冷凍機用マグネットスイッチに設けたカバーの斜視図である。
【図５】本発明の冷凍機用マグネットスイッチの配線図である。
【符号の説明】
１  冷凍機
２  コンプレッサ
３  凝縮器
５  蒸発器
１０  温度センサ
１１  高圧センサ
１２  低圧センサ
１５  駆動モータ
１６  漏電遮断器
１７  漏電検知センサ
１８  電流検知センサ
１９  電圧検知センサ
２０  コイル
２１  逆相検知センサ
２３  押し釦
２６  接点
２８  コントローラ
２９  メモリ
３５  カバー
３６  本体
３７  係合アーム
３７Ａ  ロック爪
ＡＣ  三相交流商用電源
ＭｇＳＷ  マグネットスイッチ
【図１】
2004286291.tif 000003
【図２】
2004286291.tif 000004
【図３】
2004286291.tif 000005
【図４】
2004286291.tif 000006
【図５】
2004286291.tif 000007